(57)【要約】【課題】五徳の火炙りを防止するだけでなく、子バーナの下方位置に供給された混合ガスを、子バーナの外側に環状に設けられた親バーナの全周に亘って均一に分布させることにより、親子バーナにおける良好な燃焼を得ることができるガスコンロを提供する。【解決手段】親子バーナ１と五徳２とを設ける。親子バーナ１は、子バーナ１９と、その外側を囲う環状の親バーナ２０と、子バーナ１９の下方位置に供給された混合ガスを親バーナ２０に導入するガス通路部２５を備える。親バーナ２０の五徳爪１１に対応する位置に混合ガスの噴出量が他の炎孔よりも小さい小炎孔４１を設ける。ガス通路部２５を、その内部の混合ガスの流動方向に沿った中心線Ａと、五徳爪１１の延出方向に沿った直線Ｂとが平面視において一致するように、子バーナ１９から親バーナ２０にかけて径方向に延設すると共に、各ガス通路部２５を周方向に同一間隔に配設する。【選択図】図１
2011149638.tif 000002
【特許請求の範囲】
【請求項１】
外周に複数の炎孔を有する子バーナと、該子バーナの外側を囲う環状に形成されて外周に複数の炎孔を有する親バーナと、燃料ガスと一次空気との混合ガスを子バーナの下方位置に供給する混合管と、前記子バーナの下方位置に供給された混合ガスを前記親バーナに導入すべく子バーナと親バーナとの間に設けられた複数のガス通路部とを備えて、互いに隣り合うガス通路部間を子バーナ用の二次空気を流通させる流路とする親子バーナが設けられ、該親子バーナの周囲から該親子バーナの中央に向かう方向に延びる複数の五徳爪を有する五徳が設けられたガスコンロにおいて、
前記親バーナは、前記五徳爪に対応する位置に混合ガスの噴出量が他の炎孔よりも小さい小炎孔を備え、
前記ガス通路部は、該ガス通路部における混合ガスの流動方向に沿った中心線と、前記五徳爪の延出方向に沿った直線とが平面視において一致するように、前記子バーナから前記親バーナにかけて径方向に延設されていると共に各ガス通路部は周方向に同一間隔を存して配設されていることを特徴とするガスコンロ。
【請求項２】
前記ガス通路部は、前記五徳爪と同数設けられていることを特徴とする請求項１記載のガスコンロ。
【発明の詳細な説明】
【技術分野】
【０００１】
本発明は、親子バーナと五徳とを備えて、親子バーナが五徳爪に対応する小炎孔を備えているガスコンロに関する。
【背景技術】
【０００２】
一般に、ガスコンロには、バーナとこのバーナ上に鍋等の調理容器を支持するための五徳とが設けられている。更に、ガスコンロのバーナとして、親子バーナが採用されたものがある。
【０００３】
従来、この種の親子バーナとして、外周に複数の炎孔を有する子バーナと、該子バーナの外側を囲う環状に形成されて外周に複数の炎孔を有する親バーナと、燃料ガスと一次空気との混合ガスを子バーナの下方位置に供給する混合管と、前記子バーナの下方位置に供給された混合ガスを前記親バーナに導入すべく子バーナと親バーナとの間に設けられた複数のガス通路部とを備えて、互いに隣り合うガス通路部間を子バーナ用の二次空気を流通させる流路とするものが知られている（下記特許文献１参照）。
【先行技術文献】
【特許文献】
【０００４】
【特許文献１】特開２００５−１６４０５８号公報
【発明の概要】
【発明が解決しようとする課題】
【０００５】
しかし、上記従来のものでは、特に親バーナの外周に形成される炎孔の火炎が五徳に設けられている五徳爪を炙ると五徳爪に対応する部分で燃焼不良が生じる。
【０００６】
また、上記従来のものでは、複数のガス通路部によって混合ガスが親バーナに導入され、この混合ガスが親バーナの外周の炎孔に供給されて燃焼するとき、ガス通路部の近傍に位置する炎孔における火炎は所望の大きさに形成されても、互いに隣り合うガス通路部の間に対応する位置においては所望の火炎が形成されない場合があり、良好な燃焼が得られない。これは、ガス通路部の近傍に位置する炎孔では、ガス通路部の出口から炎孔に向かう混合ガスの流れが比較的大きいために、ガス通路部から導入された混合ガスを親バーナ全周に亘って均一に分布させることができないためと考えられる。
【０００７】
上記の点に鑑み、本発明は、五徳の火炙りを防止するだけでなく、子バーナの下方位置に供給された混合ガスを、子バーナの外側に環状に設けられた親バーナの全周に亘って均一に分布させることにより、親子バーナにおける良好な燃焼を得ることができるガスコンロを提供することを目的とする。
【課題を解決するための手段】
【０００８】
本発明は、外周に複数の炎孔を有する子バーナと、該子バーナの外側を囲う環状に形成されて外周に複数の炎孔を有する親バーナと、燃料ガスと一次空気との混合ガスを子バーナの下方位置に供給する混合管と、前記子バーナの下方位置に供給された混合ガスを前記親バーナに導入すべく子バーナと親バーナとの間に設けられた複数のガス通路部とを備えて、互いに隣り合うガス通路部間を子バーナ用の二次空気を流通させる流路とする親子バーナが設けられ、該親子バーナの周囲から該親子バーナの中央に向かう方向に延びる複数の五徳爪を有する五徳が設けられたガスコンロにおいて、前記親バーナは、前記五徳爪に対応する位置に混合ガスの噴出量が他の炎孔よりも小さい小炎孔を備え、前記ガス通路部は、該ガス通路部における混合ガスの流動方向に沿った中心線と、前記五徳爪の延出方向に沿った直線とが平面視において一致するように、前記子バーナから前記親バーナにかけて径方向に延設されていると共に各ガス通路部は周方向に同一間隔を存して配設されていることを特徴とする。
【０００９】
本発明によれば、前記親バーナに混合ガスの噴出量が他の炎孔よりも小さい小炎孔を設け、この小炎孔を前記五徳爪に対応する位置に配置したので、五徳爪に対応する位置においては親バーナの火炎を小として五徳爪の炙りが抑制でき、燃焼不良を防止することができる。
【００１０】
そして更に、本発明によれば、周方向に同一間隔を存して配設された各ガス通路部の前記中心線と、前記五徳爪の前記直線とが平面視において一致するように設けられていることにより、親バーナの小炎孔に対応する位置に各ガス通路部が配置されることとなる。
【００１１】
これにより、親バーナの内部において極めて均一に混合ガスを分布させることができ、親バーナにおける燃焼を良好とすることができる。即ち、小炎孔はその火炎が五徳爪を炙るのを回避するために比較的小さく、小炎孔からの混合ガスの噴出量が小さく制限されている。各ガス通路部を抜けた混合ガスが親バーナに入ると、小炎孔から噴出される比較的少量の混合ガスを除いて多くの混合ガスが小炎孔に突き当たり分散する。これにより、親バーナの内部では混合ガスが親バーナの全周に亘って均等に分布されて十分な量の混合ガスが各炎孔へ向かい、親バーナ全周に亘って良好な燃焼を得ることができる。
【００１２】
更に、本発明によれば、前記ガス通路部の前記中心線と、前記五徳爪の前記直線とが平面視において一致するので、平面視上の外観が優れたものとなる。
【００１３】
また、本発明においては、前記ガス通路部を前記五徳爪と同数設けることで、全てのガス通路部が夫々対応する五徳爪に対して揃う。これにより、外観が一層向上するだけでなく、掃除等のために親子バーナを分解した後に元の状態に組み付け直す際に、各五徳爪に対する各ガス通路部の位置が目安となって位置決めが容易に行える。
【図面の簡単な説明】
【００１４】
【図１】本発明の実施形態のガスコンロの要部の平面図。
【図２】図１のII−II線断面図。
【図３】本実施形態における親子バーナの分解斜視図。
【発明を実施するための形態】
【００１５】
以下、本発明の実施形態を図面を参照して説明する。本実施形態のガスコンロは、図１及び図２に要部を示すように、親子バーナ１と、親子バーナ１の周囲に設けられた五徳２とを備えている。
【００１６】
親子バーナ１は、コンロの天板３上に露出するバーナ本体４と、天板３の下方に配置される混合管５とを備えている。図２に示すように、天板３は、金属板或いはガラス板によって形成されており、コンロ本体６の上面を覆うように設けられている。天板３には、コンロ本体６に設けた親子バーナ１を臨ませるバーナ用開口７が開設されており、バーナ用開口７の周縁部に台座部材８を装着して、台座部材８上に、バーナ用開口７の上方を覆う環状の汁受け板９を載置している。
【００１７】
汁受け板９には、五徳２が載置されている。五徳２は、図１に示すように、環状の五徳枠１０とこの五徳枠１０の周方向に所定間隔を存してに固定支持された四つの五徳爪１１とからなる。図２に示すように、五徳枠１０は汁受け板９に形成された段差部１２の外周に嵌合し、位置決めされた状態で汁受け板９上に載置される。また、五徳爪１１の下端内方には凸部１３が形成されており、この凸部１３が汁受け板９の段差部１２に形成された凹部１４に係合する。これにより、五徳２は汁受け板９に対して回り止めされた状態とされる。
【００１８】
また、汁受け板９は、バーナ用開口７の台座部材８に段差部１２の内周が嵌合して位置決めされ、更に、台座部材８との間に設けられた図示しない係合部によって回り止めされる。
【００１９】
親子バーナ１の混合管５は、コンロ本体６の底部に設けられた台枠１５を介してコンロ本体６に固定されている。混合管５の上流端には燃料ガスが噴出するガスノズル１６が臨み、ガスノズル１６から噴出される燃料ガスと燃料ガスの噴出に伴い吸引される一次空気とで混合ガスを生成する。混合管５の下流端には、混合ガスの環状流路１７が形成され、環状流路１７の上方が環状に開口する。そして、混合管５の下流端は汁受け板９を介して上方に突出し、バーナ本体４が汁受け板９との間に通気自在の間隙１８を存して混合管５の下流端に着脱自在に取付けられる。なお、バーナ本体４は、混合管５の下流端に取付けられると、図示しない係合部によって混合管５に対して回り止め状態となる。
【００２０】
バーナ本体４は、図１及び図２に示すように、その中央部に位置する子バーナ１９と、子バーナ１９を囲う環状に形成された親バーナ２０とを備えている。図３に示すように、子バーナ１９は、基部となる子バーナヘッド部２１と、子バーナヘッド部２１に載置される子バーナキャップ２２とにより構成される。親バーナ２０は、基部となる親バーナヘッド部２３と、親バーナヘッド部２３に載置される親バーナキャップ２４とにより構成される。
【００２１】
図１及び図３に示すように、子バーナヘッド部２１と親バーナヘッド部２３との間には、互いに所定間隔を存して水平方向に放射状に延びる四つのガス通路部２５が設けられており、このガス通路部２５によって子バーナヘッド部２１と親バーナヘッド部２３とが一体化されている。
【００２２】
図２及び図３に示すように、子バーナヘッド部２１は、その中央部から隆起する円形の隆起部２６と、隆起部２６の中央部を上下方向に貫通して混合ガスを供給する孔部２７と、隆起部２６から同心に所定距離を存して設けられた円筒状の子バーナ外筒２８とを備えている。
【００２３】
子バーナキャップ２２は、図３に示すように、子バーナ外筒２８の上面に着座させる筒壁部２９を備えている。この筒壁部２９には、周方向の間隔を存して、深さの異なる溝が多数形成されている。
【００２４】
子バーナヘッド部２１上に子バーナキャップ２２を載置すると、子バーナヘッド部２１の上部が子バーナキャップ２２によって覆われ、隆起部２６の上端に所定の間隙を存して子バーナキャップ２２の裏面が対向する。そして、隆起部２６と子バーナ外筒２８との間の底部３０上に環状のチャンバ３１が画成される。また、子バーナキャップ２２の筒壁部２９に形成されている前記溝が子バーナ外筒２８の上面によって孔となり、チャンバ３１の外周部に多数の炎孔が画成される。
【００２５】
図３を参照して（図３においては溝を炎孔として符号を付す）、子バーナキャップ２２の筒壁部２９における所定の四箇所には、三つの小溝が連続し、これらの小溝が小炎孔３２となる。各小炎孔３２は、夫々五徳爪１１と同一方向に位置する。これにより、子バーナ１９における五徳爪１１に対応する部分の火炎を小さくし、五徳爪１１を炙ることが抑えられて燃焼不良が防止される。五徳爪１１間に対応する位置の子バーナキャップ２２の筒壁部２９の部分には、大溝と小溝とが交互に形成されており、大溝が主炎孔３３となり、小溝が補炎孔３４となる。
【００２６】
また、子バーナキャップ２２の裏面側には３つの突起３５ａが形成されており、突起３５ａが隆起部２６の外周に係止することにより、子バーナキャップ２２が位置決めされる。更に、子バーナキャップ２２の裏面側には、位置決め爪３５ｂが形成されており、位置決め爪３５ｂを、子バーナ外筒２８に形成された位置決め凹部３５ｃに係合することにより、子バーナヘッド部２１上の子バーナキャップ２２が回り止めされる。これにより、子バーナヘッド部２１に対して子バーナキャップ２２の不用意な回転や位置ずれが防止され、小炎孔３２と五徳爪１１との対応位置を確実に維持することができる。
【００２７】
親バーナヘッド部２３は、図３に示すように、外周に沿って起立する円筒状の親バーナ外筒３６と、親バーナ外筒３６から同心に所定距離を存して設けられた円筒状の親バーナ内筒３７とを備えている。
【００２８】
親バーナキャップ２４は、図３に示すように、親バーナ外筒３６の上面に着座させる筒壁部３８を備えている。この筒壁部３８には、子バーナキャップ２２と同様に、周方向の間隔を存して、深さの異なる溝が多数形成されている。
【００２９】
親バーナヘッド部２３上に親バーナキャップ２４を載置すると、親バーナヘッド部２３の上部が親バーナキャップ２４によって覆われ、親バーナ外筒３６と親バーナ内筒３７との間の底部３９上に環状のチャンバ４０が画成される。また、親バーナキャップ２４の筒壁部３８に形成されている前記溝が親バーナ外筒３６の上面によって孔となり、チャンバ４０の外周部に多数の炎孔が画成される。
【００３０】
図３に示すように、親バーナキャップ２４の筒壁部３８における所定の四箇所には、二つまたは三つの小溝が連続し、これらの小溝が小炎孔４１となる。各小炎孔４１は、夫々五徳爪１１と同一方向に位置する。これにより、親バーナ２０における五徳爪１１に対応する部分の火炎を小さくし、五徳爪１１を炙ることが抑えられて燃焼不良が防止される。五徳爪１１間に対応する位置の親バーナキャップ２４の筒壁部３８の部分には、大溝と小溝とが交互に形成されており、大溝が主炎孔４２となり、小溝が補炎孔４３となる。
【００３１】
更に、親バーナキャップ２４の裏面側で一つの小炎孔４１の内側には下方に延びる位置決め爪４４が形成されている。位置決め爪４４は、親バーナ外筒３６に形成された位置決め凹部４５に係合することにより、親バーナヘッド部２３上の親バーナキャップ２４を位置決めする。これにより、親バーナヘッド部２３に対して親バーナキャップ２４の不用意な回転や位置ずれが防止され、小炎孔４１と五徳爪１１との対応位置を確実に維持することができる。
【００３２】
ここで、子バーナ１９と親バーナ２０との間に設けられた四つのガス通路部２５について説明する。各ガス通路部２５は、図１に示すように、各五徳爪１１に対応する位置に設けられると共に、周方向に同一間隔を存して配設されている。図２に示すように、各ガス通路部２５は、中空に形成された内部を混合ガスが流通自在とされ、混合管５の下流端から子バーナヘッド部２１の底部３０の下方空間に供給される混合ガスを、親バーナヘッド部２３のチャンバ４０内に導入するものである。そして、図１に示すように、ガス通路部２５は、該ガス通路部２５における混合ガスの流動方向に沿った中心線Ａ（仮想線）と、前記五徳爪の延出方向に沿った直線Ｂ（仮想線）とが平面視において一致するように設けられている。
【００３３】
親バーナ２０においては、前述した通り、夫々五徳爪１１と同一方向に小炎孔４１が位置している。これにより、各ガス通路部２５の出口２５ａは、各小炎孔４１が形成されている位置に対応する。
【００３４】
また、図１及び図３に示すように、互いに隣り合う各ガス通路部２５の間には、バーナ本体４の上下に筒状に貫通する平面視略三角形状の筒状部４６が形成され、この筒状部４６が子バーナヘッド部２１に供給する燃焼用の二次空気の流路とされている。
【００３５】
なお、図示しないが、各筒状部４６のうちの一つまたは親バーナ２０の外周には点火プラグが設けられ、子バーナ１９又は親バーナ２０への点火が行えるようになっている。そして、子バーナ１９に点火した場合には親バーナ２０へ、親バーナ２０に点火した場合には子バーナ１９へ火移りして両バーナ１９，２０が着火状態となる。
【００３６】
上記のように構成された本実施形態の親子バーナ１においては、図２に示すように、混合管５の上流端のガスノズル１６から燃料ガスが噴出されると、燃料ガスが周囲から空気を燃焼用の一次空気として巻き込みながら混合管５の内部に入る。混合管５の内部では燃料ガスと一次空気が混合されて混合ガスが生成され、この混合ガスが混合管５の下流端を経て子バーナヘッド部２１の底部３０の下方空間に供給される。その後、混合ガスは、子バーナヘッド部２１の隆起部２６に形成された孔部２７と、各ガス通路部２５の内部とに分岐して流れる。子バーナヘッド部２１の孔部２７を抜けた混合ガスは、子バーナキャップ２２の裏面に当たってその径方向に広げられ、チャンバ３１を経て均等に分布された状態で子バーナ１９の各炎孔へ向かい燃焼される。そして、子バーナ１９の燃焼の際には、図１〜図３に示すように、バーナ本体４と汁受け板９との間に形成された間隙１８から各ガス通路部２５の間の筒状部４６を経て十分な二次空気が供給され、子バーナ１９における燃焼が良好な状態に維持される。
【００３７】
一方、各ガス通路部２５の内部を抜けた混合ガスは、親バーナヘッド部２３のチャンバ４０に入る。各ガス通路部２５の出口２５ａに対応する位置には親バーナキャップ２４による小炎孔４１が形成されている。小炎孔４１は、前述したように五徳爪１１に火炎が触れるのを回避するために比較的小さな火炎を形成する。即ち、五徳爪１１の位置に対応する小炎孔４１は、二つまたは三つの小溝を並設することにより形成されているので、各五徳爪１１の間に設けられている大溝による主炎孔４２に比べて混合ガスの噴出量が小さく制限されるようになっている。このため、各ガス通路部２５の出口２５ａから親バーナヘッド部２３のチャンバ４０に導入された混合ガスは、小炎孔４１から噴出される比較的少量の混合ガスを除いて多くの混合ガスが小炎孔４１に突き当たってチャンバ４０内で分散する。これにより、混合ガスが極めて効率良くチャンバ４０内で分散され、チャンバ４０内に均等に分布されて、親バーナヘッド部２３の各炎孔へ向かい良好な状態で燃焼される。
【００３８】
以上のように、本実施形態の親子バーナ１によれば、親バーナ２０の小炎孔４１に対応する位置に各ガス通路部２５を設けたので、親バーナヘッド部２３のチャンバ４０内部において極めて均一に混合ガスを分布させることができ、親バーナ２０における安定した燃焼を良好な状態に維持することができる。
【００３９】
また、図１に示すように、各五徳爪１１と各ガス通路部２５とが同一直線上に揃うので、外観が良好となり、また、掃除等の手入れの際に天板３上から取り外したバーナ本体４を再度天板３上に戻すときにも、各五徳爪１１に対する各ガス通路部２５の位置が目安となって位置決めが容易に行える。
【００４０】
なお、本実施形態においては、四つの五徳爪１１を備える五徳２に対応して、四つのガス通路部２５を備える親子バーナ１を示した。一方、五徳爪の数は、四つに限られるものではなく適宜定められるものである。従って、ガス通路部の数は、五徳爪に対応する数だけ設けることが好ましい。また、ガス通路部は五徳爪に対応する位置に設けられるものであるが、五徳爪の数によらず、何れかの五徳爪にのみ対応するようにガス通路部を設けてもよい。例えば、六つの五徳爪が設けられている場合には一つ置きの三つの五徳爪に対応する三つのガス通路部を設けてもよい。
【００４１】
また、本実施形態においては、子バーナ１９と親バーナ２０とに単一の混合管５から混合ガスを供給する構成を示したが、これに限るものではない。例えば図示しないが、子バーナ用の混合管と親バーナ用の混合管とを備えて子バーナ用の混合ガスと親バーナ用の混合ガスとをバーナ本体の中央部に各別に供給する構成を備えるものにも本発明の構成を適用することができる。
【符号の説明】
【００４２】
１…親子バーナ、２…五徳、５…混合管、１１…五徳爪、１９…子バーナ、２０…親バーナ、２５…ガス通路部、４１…小炎孔、４６…流路（筒状部）、Ａ…中心線、Ｂ…直線。
【図１】
2011149638.tif 000003
【図２】
2011149638.tif 000004
【図３】
2011149638.tif 000005